(57)【要約】【課題】本発明は取込カセット、フィード経路、ロールセット、取出カセット、光発射装置、光受信装置及び判断ユニットを含むオートフィード装置を提供する。【解決手段】  前記光受信装置はフィードされた文書を透過する複数の異なる強度の光ビームに基いて複数の電圧信号を出力し、判断ユニットが前記複数の電圧信号に基いてフィードされた文書の種類を判断する。【選択図】図２
2008266013.tif 000002
【特許請求の範囲】
【請求項１】
文書をフィードするためのオートフィード装置であって、
前記文書を置くための取込カセットと、
前記文書に進行経路を提供するためのフィード経路と、
前記文書をフィードし、前記文書を前記フィード経路の中を進行させるためのロールセットと、
前記フィード経路を通過した前記文書を置くための取出カセットと、
順番に複数の光ビームを前記文書に発射するための光発射装置であって、前記複数の光ビームは異なる光強度を有することと、
前記光発射装置に電気接続して前記文書を透過した前記複数の光ビームを受信すると共にそれに対応する複数の電圧値を出力するための光受信装置と、
前記光受信装置と電気接続して、文書種類対照表を予め設け、前記複数の電圧値と前記文書種類対照表が文書の種類を決定する判断ユニットとを含み、
前記判断ユニットには高電圧参考値と低電圧参考値を内蔵し、また前記複数の電圧値は第一電圧値と第二電圧値を含み、前記複数の電圧値中の前記第一電圧値は前記高電圧参考値よりも大きく、前記複数の電圧値中の前記第二電圧値は前記第二電圧値よりも小さい場合、前記判断ユニットは前記文書を第一種類文書と判断し、前記複数の電圧値中の前記第一電圧値と前記第二電圧値が共に前記高電圧参考値よりも大きい場合、前記判断ユニットは前記文書を第二種類文書と判断し、さらに前記複数の電圧値中の前記第一電圧値と前記第二電圧値が共に前記低電圧参考値よりも小さい場合、前記判断ユニットは前記文書を第三種類文書と判断することを特徴とするオートフィード装置。
【請求項２】
前記第一種類文書はペーパー、前記第二種類文書は映写機フィルム、そして前記第三種類文書は写真台紙であることを特徴とする請求項1に記載するオートフィード装置。
【請求項３】
前記光発射装置は発光ダイオード若しくは赤外線発光体であることを特徴とする請求項1に記載するオートフィード装置。
【請求項４】
前記光受信装置は感光トランジスターであることを特徴とする請求項1に記載するオートフィード装置。
【請求項５】
文書をフィードするためのオートフィード装置であって、
前記文書を置くための取込カセットと、
前記文書に進行経路を提供するためのフィード経路と、
前記文書をフィードし、前記文書を前記フィード経路の中を進行させるためのロールセットと、
前記フィード経路を通過した前記文書を置くための取出カセットと、
順番に複数の光ビームを前記文書に発射するための光発射装置であって、前記複数の光ビームは異なる光強度を有することと、
前記光発射装置に電気接続して前記文書を透過した前記複数の光ビームを受信するための光受信装置と、
前記光受信装置と電気接続して、前記光受信装置が受信する前記複数の光ビームに基いて複数のロジックレベル信号を出力する比較器と、
前記比較器と電気接続して、文書種類対照表を予め設け、前記複数のロジックレベル信号及び前記文書種類対照表に基いて前記文書の種類を決定する判断ユニットを含み、
前記複数のロジックレベル信号は第一ロジックレベル信号と第二ロジックレベル信号を含み、前記複数のロジックレベル信号中の第一ロジックレベル信号が高ロジックレベルであって、前記複数のロジックレベル信号中の第二ロジックレベル信号が低ロジックレベルである場合、前記判断ユニットは前記文書を第一種類文書と判断し、前記第一ロジックレベル信号と前記第二ロジックレベル信号が高ロジックレベルである場合、前記判断ユニットは前記文書を第二種類文書と判断し、さらに前記第一ロジックレベル信号と前記第二ロジックレベル信号が共に低ロジックレベルである場合、前記判断ユニットは前記文書を第三種類文書と判断することを特徴とするオートフィード装置。
【請求項６】
前記第一種類文書はペーパー、前記第二種類文書は映写機フィルム、そして前記第三種類文書は写真台紙であることを特徴とする請求項５に記載するオートフィード装置。
【請求項７】
前記光発射装置は発光ダイオード若しくは赤外線発光体であることを特徴とする請求項５に記載するオートフィード装置。
【請求項８】
前記光受信装置は感光トランジスターであることを特徴とする請求項５に記載するオートフィード装置。
【請求項９】
オートフィード装置の中で文書の種類を判断するための文書種類を識別する方法であって、複数強度の複数の光ビームが順番に前記文書に照射され、複数の光ビームが前記文書を透過するか否かに基いて前記文書の種類を判断する方法を含み、
前記複数の光ビーム中の第一強度の光ビームが前記文書を透過して第二強度の光ビームが前記文書を透過しない場合、前記文書は第一種類文書であると判断し、前記第一強度の光ビームと前記第二強度の光ビームが共に前記文書を透過する場合、前記文書は第二種類文書であると判断し、さらに前記第一強度の光ビームと前記第二強度の光ビームが共に前記文書を透過しない場合、前記文書は第三種類文書であると判断することを特徴とするオートフィード装置。
【請求項１０】
前記第一種類文書はペーパー、前記第二種類文書は映写機フィルム、そして前記第三種類文書は写真台紙であることを特徴とする請求項９に記載するオートフィード装置。
【発明の詳細な説明】
【技術分野】
【０００１】
本発明はオートフィード装置に関し、特に文書の種類が判断可能なオートフィード装置に関するものである。
【背景技術】
【０００２】
一般に散見される文書の種類は薄い物から厚い物として、映写機フィルム、ペーパー及び写真台紙であるが、オートフィード装置は前記文書の種類の違いを識別できない。使用の利便性から市場では既に文書の種類が識別可能なオートフィード装置が開発されている。
【０００３】
図１は従来のオートフィード装置の概略図である。オートフィード装置４には取込カセット５が具備され、取込カセット５にはホール５aが設けられている。文書Ｐは取込カセット５上に置かれる。取込カセット５の片側には取出ロール６とパーティション構造８が取り付けられており、またホール５aの片側には光発射装置１３が取り付けられ、ホールのもう一方の側には光受信装置１４が取り付けられ、光受信装置１４は制御装置５０と電気接続している。
【０００４】
一般のオートフィード装置全てに設置されている取込カセット５は文書Ｐを置くためのもので、取出ロール６は文書Ｐをフィードチャネル（図未提示）にフィードさせ、パーティション構造８は毎回フィードチャネルに進入する文書数量を１枚のみ確保する。このほか、ホール５a、光発射装置１３、光受信装置１４及び制御装置５０は文書Ｐを判断するためのもので、また光発射装置１３は複数の強度の光ビームを発射することができる。
【０００５】
オートフィード装置４が文書Ｐに対してスキャンを実行する前に、光発射装置１３は単一の高強度の光ビームを取込カセット５上に置かれている文書Ｐに発射し、高強度の光ビームは文書Ｐを透過して光発射装置１３が狙いを定めたホール５aを通過し、高強度の光ビームは光受信装置１４に受信される。高強度の光ビームが文書Ｐを透過すると、高強度の光ビームエネルギーの一部は文書Ｐに吸収され、高強度の光ビームの別の一部分は反射されるので、光受信装置１４が受信する高強度の光ビームエネルギーは元々光発射装置１３から発射された高強度の光ビームより弱まり、また文書Ｐが厚いほど、光受信装置１４が受信する光ビームエネルギーは少なくなる。その後制御装置５０が光受信装置１４が受信した光ビームエネルギーを分析して文書Ｐの種類が何であるかを判断し、光ビームエネルギーは電圧値で表示される。
【０００６】
制御装置５０に文書Ｐの種類を判断させるために、制御装置５０に電圧基準表を内蔵し、映写機フィルム、ペーパー及び写真台紙の三種類の文書を例に取り、受信した光ビームの電圧値が第一電圧値乃至第二電圧値の範囲内だと検知された文書Ｐは映写機フィルムであると定義し、その電圧値が第二電圧値乃至第三電圧値の範囲内だと検知された文書Ｐはペーパーであると定義し、その電圧値が第三電圧値乃至第四電圧値の範囲内だと検知された文書Ｐは写真台紙であると定義する。
【０００７】
光発射装置１３が複数強度の光ビームを使用する原因は、映写機フィルムのようにある文書は非常に薄く、高強度の光ビームが前記の薄い文書を照射すると、前記の薄い文書を透過した高強度の光ビームエネルギーが吸収される量は少なく、光受信装置１４が受信する光ビームエネルギーと元々光発射装置１３から発射された高強度の光ビームエネルギーとがかなり接近していることから、制御装置５０はその文書の種類を定義することができない。こうした状況が発生した場合、光発射装置１３は前記の薄い文書に低強度の光ビームを発射させることで、制御装置５０に光ビームエネルギーを分析させて文書の種類を判断させることができる。
【０００８】
従来のオートフィード装置４は文書の種類を判断することができるものの、光ビームエネルギーを分析するための制御装置５０の電気回路が相当複雑で且つコストが高くつくため、低コストの文書種類の識別可能なオートフィード装置が必要なのである。
【発明の開示】
【発明が解決しようとする課題】
【０００９】
本発明の目的はオートフィード装置を提供することにあり、特に複数の強度の異なる光ビームを使用し、順番に同一の文書に照射して文書の種類を判断するオートフィード装置である。
【課題を解決するための手段】
【００１０】
最適な実施例において、本発明は文書をフィードするためのオートフィード装置を提示し、オートフィード装置は、文書を置くための取込カセットと、文書に進行経路を提供するためのフィード経路と、文書をフィードし、文書をフィード経路の中を進行させるためのロールセットと、フィード経路を通過した文書を置くための取出カセットと、順番に複数の光ビームを文書に発射するための光発射装置であって、複数の光ビームは異なる光強度を有することと、光発射装置に電気接続して、文書を透過した複数の光ビームを受信すると共にそれに対応する複数の電圧値を出力するための光受信装置と、光受信装置に電気接続し、文書種類対照表を予め設け、複数の電圧値と文書種類対照表に基いて文書の種類を決定する判断ユニットであって、判断ユニットには高電圧参考値と低電圧参考値を内蔵し、また複数の電圧値は第一電圧値と第二電圧値を含み、複数の電圧値中の第一電圧値は高電圧参考値よりも大きく、複数の電圧値中の第二電圧値は第二電圧値よりも小さい場合、判断ユニットは文書を第一種類文書と判断し、複数の電圧値中の第一電圧値と第二電圧値が共に高電圧参考値よりも大きい場合、判断ユニットは文書を第二種類文書と判断し、さらに複数の電圧値中の第一電圧値と第二電圧値が共に低電圧参考値よりも小さい場合、判断ユニットは文書を第三種類文書と判断することを含む。
【００１１】
最適な実施例において、第一種類文書はペーパー、第二種類文書は映写機フィルム、そして第三種類文書は写真台紙である。
【００１２】
最適な実施例において、光発射装置は発光ダイオード若しくは赤外線発光体である。
【００１３】
最適な実施例において、光受信装置は感光トランジスターである。
【００１４】
最適な実施例において、本発明はまた文書をフィードするためのオートフィード装置を提示し、オートフィード装置は、文書を置くための取込カセットと、文書に進行経路を提供するためのフィード経路と、文書をフィードし、文書をフィード経路の中を進行させるためのロールセットと、フィード経路を通過した文書を置くための取出カセットと、順番に複数の光ビームを文書に発射するための光発射装置であって、複数の光ビームは異なる光強度を有することと、光発射装置に電気接続して文書を透過した複数の光ビームを受信するための光受信装置と、光受信装置と電気接続して、光受信装置が受信する複数の光ビームに基いて複数のロジックレベル信号を出力する比較器と、比較器と電気接続して、文書種類対照表を予め設け、前記複数のロジックレベル信号及び文書種類対照表に基いて文書の種類を決定する判断ユニットであって、複数のロジックレベル信号は第一ロジックレベル信号と第二ロジックレベル信号を含み、複数のロジックレベル信号中の第一ロジックレベル信号が高ロジックレベルであって、複数のロジックレベル信号中の第二ロジックレベル信号が低ロジックレベルである場合、判断ユニットは文書を第一種類文書と判断し、第一ロジックレベル信号と第二ロジックレベル信号が高ロジックレベルである場合、判断ユニットは文書を第二種類文書と判断し、さらに第一ロジックレベル信号と第二ロジックレベル信号が共に低ロジックレベルである場合、判断ユニットは前記文書を第三種類文書と判断することを含む。
【００１５】
最適な実施例において、第一種類文書はペーパー、第二種類文書は映写機フィルム、そして第三種類文書は写真台紙である。
【００１６】
最適な実施例において、光発射装置は発光ダイオード若しくは赤外線発光体である。
【００１７】
最適な実施例において、光受信装置は感光トランジスターである。
【００１８】
最適な実施例において、本発明はまたオートフィード装置の中で文書の種類を判断するための文書種類を識別する方法を提示し、前記方法は、複数強度の複数の光ビームを使用して順番に文書に照射し、複数の光ビームが文書を透過するか否かに基いて文書の種類を判断し、複数の光ビーム中の第一強度の光ビームが文書を透過して第二強度の光ビームが文書を透過しない場合、文書は第一種類文書であると判断し、第一強度の光ビームと第二強度の光ビームが共に文書を透過する場合、文書は第二種類文書であると判断し、さらに第一強度の光ビームと第二強度の光ビームが共に文書を透過しない場合、文書は第三種類文書であると判断することを含む。
【００１９】
最適な実施例において、第一種類文書はペーパー、第二種類文書は映写機フィルム、そして第三種類文書は写真台紙である。
【発明を実施するための最良の形態】
【００２０】
本発明を次に図面により詳細に説明する。
【実施例】
【００２１】
図２は本発明のオートフィード装置の第一実施例の概略図である。本実施例中のオートフィード装置１００は、取込カセット１１０、取出カセット１２０、フィード経路１３０、ロールセット１４０、光発射装置１５０、光受信装置１６０及び判断ユニット１８０を含み、ロールセット１４０は取込ロール、パーティションロール、フィードロール及び取出ロール等を含み、また判断ユニット１８０に高電圧参考値と低電圧参考値を内蔵する。なお、本箇所が指す文書とはフィード装置によって伝送され得る薄いシートを指し、それにはぺーパー、写真及び映写機フィルム等を含むことを特に説明しておく。
【００２２】
フィード経路１３０の入口と取込カセット１１０の箇所には光発射装置１５０と光受信装置１６０を設置し、ロールセット１４０が取込カセット１１０上に置かれた文書Ｐをフィード経路１３０にフィードする際、光発射装置１５０は光ビームＢを文書Ｐ上に発射して、光ビームＢを文書Ｐに透過させて光受信装置１６０によって受信され若しくは光ビームＢは文書Ｐを透過することができずに光受信装置１６０に受信されない。光受信装置１６０が光ビームＢを受信するか否かに拘わらず、何れも電圧値Ｖを判断ユニット１８０に出力する。光受信装置１６０が光ビームＢを受信して電圧値Ｖを判断ユニット１８０に出力すると、出力した電圧値Ｖは高電圧参考値よりも大きくなり、これと反対に、光受信装置１６０が光ビームＢを受信せずに電圧値Ｖを判断ユニット１８０に出力すると、出力した電圧値Ｖは低電圧参考値よりも小さくなる。判断ユニット１８０中に別途予め文書種類対照表を設け、文書種類対照表に複数の文書の種類と各種文書に対応する電圧値の大きさとの関係の内容を記録し、判断ユニット１８０は文書種類対照表に基いて検知される文書Ｐがどの文書の種類であるかを決定する。以下は表１で、本発明第一実施例の文書種類対照表である。
【００２３】
【表１】
2008266013.tif 000003
【００２４】
第一実施例において、光発射装置１５０が高強度の光ビームと低強度の光ビームを発射できるように設定する。光発射装置１５０が二種類の強度の光ビームを具備するのに対して、光受信装置１６０はそれに対応する第一電圧値と第二電圧値を出力し、判断ユニット１８０も高電圧参考値と低電圧参考値及び文書種類対照表を内蔵する。判断ユニット１８０が予め設定した文書種類対照表に三種類の文書の種類を記録し、表１で示すように、第一文書の種類はペーパー、第二文書の種類は映写機フィルム、そして第三文書の種類は写真台紙である。文書Ｐが光発射装置１５０が光ビームを発射する範囲内に進入すると、光発射装置１５０は高強度の光ビームを文書Ｐに発射し、前記高強度の光ビームは前記文書Ｐを透過して光受信装置１６０に受信され、続いて光受信装置１６０は第一電圧値を判断ユニット１８０に出力する。このとき判断ユニット１８０は第一電圧値を内蔵された高電圧参考値及び低電圧参考値と比較して第一電圧値が高電圧参考値より大きいことを導き出す。続いて第二種強度の光ビームを発射し、即ち光発射装置１５０が低強度の光ビームを前記文書Ｐに発射し、低強度の光ビームが文書Ｐを透過できない場合、光受信装置１６０は第二電圧値を判断ユニット１８０に出力する。このとき判断ユニット１８０は第二電圧値を内蔵された高電圧参考値及び低電圧参考値と比較して第二電圧値が低電圧参考値より小さいことを導き出す。判断ユニット１８０はこうした状況と表１とを対照させて、文書Ｐが第一文書の種類、即ちペーパーであると判断することができる。また、高強度の光ビームが文書Ｐを透過した後、低強度の光ビームも文書Ｐを透過した場合、光ビームエネルギーを受信した光受信装置１６０は高電圧参考値より大きい第二電圧値を判断ユニット１８０に出力する。このとき判断ユニット１８０は表１から分かるように、文書Ｐは第二文書の種類、即ち映写機フィルムである。このほかに、高強度の光ビームと低強度の光ビームのどちらも文書Ｐを透過できない場合、比較器１７０が出力する第一及び第二電圧値は共に低電圧参考値よりも小さく、このとき判断ユニット１８０は文書Ｐが写真台紙であると判断する。
【００２５】
図３は本発明のオートフィード装置の第一実施例の電気回路概略図である。図３で光発射装置１５０に接続した２個の互いに並列接続する抵抗器は二種類の強度の光ビームを発することができ、抵抗器Ｒ１に電流Ｉ１を通すと、光発射装置１５０に第一種強度の光ビームを発射させることができ、また電流Ｉ２が抵抗器Ｒ２を通ると、光発射装置１５０に第二種強度の光ビームを発射させることができ、異なる抵抗値により発射される光ビームの強度を調整する。勿論、並列接続した抵抗器の数を増やして異なる強度の光ビームを増やすこともでき、詳細に述べると、光発射装置１５０をＮ種強度の光ビームを発することができるように変更し、これに対応してＮ個の電圧値を出力すると、予め文書種類対照表に設けた文書の種類はＮ＋１種類となる。また、発射した光ビームは光受信装置１６０に受信されて、さらに光受信装置１６０が電圧値Ｖを判断ユニット１８０に出力し、判断ユニット１８０に文書の種類が何であるかを判断させる。
【００２６】
ここに別の実施例を提示して充実したオートフィード装置について説明する。前記オートフィード装置は四種類の文書の種類を識別することができる。図４は本発明のオートフィード装置の第二実施例の電気回路概略図である。図４のオートフィード装置２００には抵抗器Ｒ３、抵抗器Ｒ４、抵抗器Ｒ５を含む三組の抵抗器を設置し、電流Ｉ３を抵抗器Ｒ３に通すと、光発射装置２５０に第三強度の光ビームを発射させることができ、同じ理屈で電流Ｉ４が抵抗器Ｒ４を通ると、光発射装置２５０に第四強度の光ビームを発射させることができ、さらに電流Ｉ５が抵抗器Ｒ５を通ると、光発射装置２５０に第五強度の光ビームを発射させることができる。三種類の強度の光ビームの中で、強度の大きいものから小さいものの順に第三強度の光ビーム、第四強度の光ビーム及び第五強度の光ビームとなり、これに対応する出力電圧値はそれぞれ第三電圧値、第四電圧値及び第五電圧値となる。表２は本発明第二実施例の文書種類対照表であり、そのうち文書の種類の厚みは厚いものから薄いものの順に第一文書種類、第二文書種類、第三文書種類及び第四文書種類となる。三種類の強度の光ビームの何れもが文書を透過できず光受信装置２６０に受信されない場合、出力する第三電圧値、第四電圧値及び第五電圧値は皆低電圧参考値よりも小さくなり、判断ユニット２８０は表２から前記文書が第一文書種類であると判断することができる。第三強度の光ビームが文書を透過することができ、且つ第四及び第五強度の光ビームが文書を透過できない場合、このとき第三電圧値は高電圧参考値よりも大きくなり、また第四電圧値及び第五電圧値は共に低電圧参考値よりも小さくなり、表２から文書が第二文書種類であると判断することができ、表２のその他の状況はこれを以って類推する。図４と表２とを合せて説明することで本発明のオートフィード装置の充実した概念が充分に理解される。
【００２７】
【表２】
2008266013.tif 000004
【００２８】
再度図３を参照する。本発明の第一実施例は光ビームを分析する複雑な電気回路を使用する必要なくして文書の種類を判断することができ、従来の技術と比較しても多額のコスト削減となるが、本実施例において、判断の根拠が高電圧参考値及び低電圧参考値の出力電圧値の大きさとの関係にあり、判断ユニットには電圧値が高電圧参考値より大きいか若しくは電圧値が低電圧参考値より小さいかのこの二種類の状況だけしかないため、第一種強度の光ビームと第二種強度の光ビームの強度を精確なレベルまで調整する、つまり光発射装置に接続する抵抗値を出力する電圧値を高電圧参考値より大きいか、低電圧参考値より小さいかのレベルまで調整させなければならない。当然ながら、その他の方法によっても、判断ユニットは同様の目的を達成することができる。
【００２９】
図５は本発明のオートフィード装置の第三実施例の概略図である。本実施例中のオートフィード装置３００は、取込カセット３１０、取出カセット３２０、フィード経路３３０、ロールセット３４０、光発射装置３５０、光受信装置３６０、比較器３７０及び判断ユニット３８０を含み、ロールセット３４０は取込ロール、パーティションロール、フィードロール及び取出ロール等を含む。前記二つの実施例と異なる所は、本実施例では比較器３７０を加え、文書を透過する光線が生じる電圧値はまず高/低レベルのロジック信号に転換され、これら高/低レベルのロジック信号は判断ユニットの判断根拠となる。
【００３０】
図５のフィード経路３３０に接近した入口と取込カセット３１０の箇所に光発射装置３５０と光受信装置３６０を設置し、ロールセット３４０が取込カセット３１０上に置かれた文書Ｐをフィード経路３３０にフィードする際、光発射装置３５０は光ビームＢを文書Ｐ上に発射して、光ビームＢを文書Ｐに透過させて光受信装置３６０によって受信され若しくは光ビームＢは文書Ｐを透過することができずに光受信装置３６０に受信されない。光受信装置３６０が光ビームＢを受信しなければ、光受信装置３６０に電気接続する比較器３７０に信号を出力しない。光受信装置３６０が光ビームＢを受信すると、光受信装置３６０は光信号ＬＳを光受信装置３６０に電気接続する比較器３７０に伝送し、光受信装置３６０が光信号ＬＳを比較器３７０に伝送するか否かに拘わらず、比較器３７０はロジックレベル信号ＤＳを判断ユニット３８０に出力する。光受信装置３６０が光ビームＢを受信して、光信号ＬＳを比較器３７０に伝送すると、比較器３７０が出力するロジックレベル信号ＤＳは高ロジックレベル信号（ロジック１）であり、これと逆に光受信装置３６０が光信号ＬＳを比較器３７０に伝送しなければ、比較器３７０が出力するロジックレベル信号ＤＳは低ロジックレベル信号（ロジック０）である。判断ユニット３８０には予め文書種類対照表が設定されており、文書種類対照表には複数の文書種類及び各種文書に対応するロジックレベル信号の内容が記録されており、判断ユニット３８０は文書種類対照表に基いて検知された文書Ｐがどの種類の文書種類であるかを決定する。以下は表３で、本発明の第三実施例の文書種類対照表である。
【００３１】
【表３】
2008266013.tif 000005
【００３２】
本実施例において、光発射装置３５０が高強度の光ビームと低強度の光ビームを発射できるように設定する。光発射装置３５０が二種類の強度の光ビームを具備するのに対して、比較器３７０のロジックレベル信号ＤＳも第一ロジックレベル信号及び第二ロジックレベル信号を有する。判断ユニット３８０が予め設定した文書種類対照表に三種類の文書種類を記録し、そのうち、表一で示すように、第一文書の種類はペーパー、第二文書の種類は映写機フィルム、そして第三文書の種類は写真台紙である。文書Ｐが光発射装置３５０が光ビームを発射する範囲内に進入すると、光発射装置３５０は高強度の光ビームを文書Ｐに発射し、前記高強度の光ビームは前記文書Ｐを透過して光受信装置３６０に受信され、続いて光受信装置３６０は光信号ＬＳを比較器３７０に伝送して、比較器３７０に第一ロジックレベル信号を判断ユニット３８０に発射させる。このとき、第一ロジックレベル信号は高ロジックレベル信号（ロジック１）であり、続いて光発射装置３５０は低強度の光ビームを前記文書Ｐに発射させ、低強度の光ビームが文書Ｐを透過できない場合、光受信装置３６０は光信号ＬＳを比較器３７０に伝送せず、比較器３７０に第二ロジックレベル信号を判断ユニット３８０に発射させる。このときの第二ロジックレベル信号は低ロジックレベル信号（ロジック０）である。判断ユニット３８０はこうした状況と表３とを対照させて、文書Ｐが第一文書の種類、即ちペーパーであると判断することができる。また、低強度の光ビームが文書Ｐを透過した場合、光ビームエネルギーを受信した光受信装置３６０は光信号ＬＳを比較器３７０に伝送して、比較器３７０に第二ロジックレベル信号を判断ユニット３８０に発射させる。このときの第二ロジックレベル信号は高ロジックレベル信号（ロジック１）であり、判断ユニット３８０は表３から、文書Ｐは第二文書種類、即ち映写機フィルムであることが分かる。このほかに、高強度の光ビームと低強度の光ビームのどちらも文書Ｐを透過できない場合、比較器３７０が出力する第一ロジックレベル信号と第二ロジックレベル信号は共に低ロジックレベル信号（ロジック０）であり、このとき判断ユニット３８０は文書Ｐが写真台紙であると判断する。
【００３３】
続いて、本発明の第三実施例の電気回路の作動状況を説明する。図６は本発明のオートフィード装置の第三実施例の電気回路概略図である。図３のバイアス回路３９０は比較器３７０の「−」端にバイアスを提供するのに用いられ、前記バイアスは駆動電圧ＶＣＣ、抵抗器ＲＡ及び抵抗器ＲＢに制御される。バイアス回路３９０の片側に設置されたコンデンサーＣにはフィルター機能を具備し、ノイズの影響を防ぐことができる。光発射装置３５０に接続する２つの抵抗器が並列接続すると光発射装置３５０に二種類の強度の光ビームを発射させ、抵抗器Ｒ６に電流Ｉ６を通すと、光発射装置３５０に第六強度の光ビームを発射させることができ、また、電流Ｉ７が抵抗器Ｒ７を通ると、光発射装置３５０に第七強度の光ビームを発射させることができ、異なる抵抗値でもって発射される光ビームの強度を調整する。当然ながら、本実施例もまた第二実施例のように、並列接続した抵抗器の数を増やして異なる強度のビームを増やすことで、更に多くの文書の種類を識別することができる。
【００３４】
本発明と従来の技術の差異は、従来の技術は複数の強度の光ビームを有するものの、毎回識別する文書の種類において、第一強度の光ビームを発射し、その後さらに光受信装置１４（図１参照）が受信した光ビームエネルギーを分析するが、スムースに分析すれば識別が終了するが、分析識別できなかった場合、第二種強度の光ビーム或いはその他の更に多種類の強度の光ビームを使用して文書Ｐをスムースに分析できる強度の光ビームを探しあてるまで行うため、このように正確性を欠いた実施方法ではユーザーのニーズを満たすことができない。本発明には複数の強度の光ビームを具備し、第三実施例を例にとると、文書の種類を識別する過程において、光発射装置３４０（図５参照）は各種の強度の光ビームを順番に同一の入力文書上に発射して複数の異なる電圧値の電圧信号を発生させ、異なる電圧値の電圧信号が出す高／低ロジックレベルの組合せにより文書の種類を判断する。換言すると、本発明はロジックレベルの高／低を識別するだけに留まり、従来の技術における制御装置５０の複雑な電気回路を使用する必要なくして文書の種類を識別する効果を達成したことで従来の技術の欠点を間違いなく改善することができたのである。
【００３５】
上記内容は本発明の最適な実施例に過ぎず、本発明の特許申請範囲を限定するものではないため、本発明で開示した趣旨を逸脱しないで完成された等価変更若しくは補正は、全て本案における特許申請の範囲内に含まれるものとする。
【図面の簡単な説明】
【００３６】
【図１】従来のオートフィード装置の概略図である。
【図２】本発明のオートフィード装置の第一実施例の概略図である。
【図３】本発明のオートフィード装置の第一実施例の電気回路概略図である。
【図４】本発明のオートフィード装置の第二実施例の電気回路概略図である。
【図５】本発明のオートフィード装置の第三実施例の概略図である。
【図６】本発明のオートフィード装置の第三実施例の電気回路概略図である。
【符号の説明】
【００３７】
４、１００、２００、３００  オートフィード装置
５      取込カセット
５ａ    貫通孔    
６      取出ロール
８      パーティション構造
１３    光発射装置
１４    光受信装置
５０    制御装置
１１０、２１０、３１０  取込カセット
１２０、２２０、３２０  取出カセット
１３０、２３０、３３０  フィード経路
１４０、２４０、３４０  ロールセット
１５０、２５０、３５０  光発射装置
１６０、２６０、３６０  光受信装置
１８０、２８０、３８０  判断ユニット
３７０  比較器
３９０  バイアス回路
Ｂ      光ビーム
Ｃ      コンデンサー
ＤＳ    ロジックレベル信号
Ｉ      電流
ＬＳ    光信号
Ｐ      文書
Ｒ      抵抗器
Ｖ      電圧値
ＶＣＣ  駆動電圧
【図１】
2008266013.tif 000006
【図２】
2008266013.tif 000007
【図３】
2008266013.tif 000008
【図４】
2008266013.tif 000009
【図５】
2008266013.tif 000010
【図６】
2008266013.tif 000011